(57)【要約】【課題】外観上の装飾性を損なうことなく、且つ光発電素子に多くの光を照射させることによって発電量を増加させ、長時間の駆動を可能にする光発電時計を提供すること。【解決手段】光によって電気エネルギーを発生させる光発電素子を備えた光発電時計であって、反射光を一方向に集光させる機能を有する反射板を備え、かつ反射光が光発電素子に向かって集光するように反射板を配置した。さらに光発電素子を外部から認識できないようにした。【選択図】        図１
2005300160.tif 000002
【特許請求の範囲】
【請求項１】
光を電気エネルギーに変換する光発電素子を備えた光発電時計であって、反射光を一定の領域に集光させる機能を有する反射板を備え、前記反射光が前記光発電素子に集光するように前記反射板を配置した光発電時計。
【請求項２】
前記反射板が文字盤の少なくとも一部に構成されていることを特徴とする請求項１に記載の光発電時計。
【請求項３】
前記反射板が前記光発電素子とモジュールとの間に構成されていることを特徴とする請求項１または請求項２に記載の光発電時計。
【請求項４】
前記反射板に複数の溝が形成されていることを特徴とする請求項１から請求項３のいずれか一項に記載の光発電時計。
【請求項５】
前記反射板に曲面を有する溝が形成されていることを特徴とする請求項１から請求項４のいずれか一項に記載の光発電時計。
【請求項６】
前記反射板がプラスチック材料からなり、該プラスチック材料上に金属膜を有することを特徴とする請求項１から請求項５のいずれか一項に記載の光発電時計。
【請求項７】
前記光発電素子が透明性基板上に２００μｍ以下の幅で平行に並んでいることを特徴とする請求項１から請求項６のいずれか一項に記載の光発電時計。
【請求項８】
前記光発電素子が文字盤の少なくとも一部に構成されていることを特徴とする請求項１から請求項７のいずれか一項に記載の光発電時計。
【請求項９】
前記光発電素子が風防ガラス上に構成されていることを特徴とする請求項１から請求項８のいずれか一項に記載の光発電時計。
【請求項１０】
前記光発電素子を時計外部から視認できない位置に配置したことを特徴とする請求項１から請求項９のいずれか一項に記載の光発電時計。
【発明の詳細な説明】
【０００１】
【発明の属する技術分野】
本発明は光発電素子を備えた光発電時計に関し、特に装飾性に優れた光発電時計に関する。
【０００２】
【従来の技術】
光を電力に変換する機能を有する光発電素子を一次電池に用いた機器として、電卓、時計、液晶表示装置、ＰＤＡ等の携帯型電子機器がある。この光発電素子は、アモルファスシリコン、及びその合金系や微結晶、もしくは結晶シリコンや化合物半導体材料等の発電層で構成されており、前記電子機器は、光発電素子により発電されたエネルギーを二次電池に蓄電し、電子機器を駆動する構成となっている。近年、環境面に害が少ないと言う理由から、これらの光発電素子を用いた電子機器の需要は年々高まっている。以下、電子機器の一例として、特に光発電時計について説明する。
【０００３】
光発電時計においては、光発電素子により光を電気エネルギーに変換してニッケルイオン電池など二次電池に充電し、この二次電池から電気エネルギーを取り出して時計を駆動するようになっている。この構造において時計を長時間駆動するためには、より多くの光が照射されるように、光発電素子を外部から見える位置に配置する必要があった。
【０００４】
しかしながら、一般に光発電素子は不透明で、光発電素子特有の特殊な色（太陽電池の発電層がアモルファスシリコンで形成された場合は暗紫色）をしており、光発電素子が外から見えてしまうことにより、時計の外観を損なうという問題を発生させていた。
【０００５】
これまでに、上記の対策として、いくつかの方法が提案されている。一つは、光発電素子の上面に半透明性の文字盤を配置し、光発電素子を認識しづらくする方法が挙げられる。図１２は光発電素子上に半透明性文字盤を配置した従来の光発電時計の断面図である。時計ケース１０７０内に時針１０４０を駆動するためのモジュール１０５０と板状の光発電素子１０２０が配置されており、風防ガラス１０６０からの入射光によって発電を行うようになっている。風防ガラス１０６０からの入射光は半透明性文字盤１０８０によって一部遮光されるが、その遮光効果によって光発電素子１０２０を外部から認識しづらくさせていた。
【０００６】
またこの他に、実開昭５８−８６５９２号公報に開示されているように、文字盤の最外周部に直立して形成された壁面に光発電素子を配置する方法も考案されている。図１３は光発電素子を文字盤の最外周部に配置した従来の光発電時計の断面図である。時計ケース１０７０内に時針１０４０を駆動するためのモジュール１０５０と文字盤１０９０が構成されている。光発電素子１０２１は文字盤１０９０の最外周を規定する時計ケース１０７０内壁面に形成されており、風防ガラス１０６０からの入射光により発電を行う構造になっている。この場合、風防ガラス１０６０を通して斜め方向から見ない限り、光発電素子１０２１は認識できない。
【０００７】
さらに、これを応用した光発電時計が実開昭５９−１４９０８８号公報において提案されている。図１５は導光用プリズムを用いた従来の光発電時計の断面図である。時計ケース１０７０内に時針１０４０を駆動するためのモジュール１０５０と文字盤１０９０が構成されており、光発電素子１０２１は文字盤１０９０の最外周を規定する時計ケース１０７０内壁面に直立して形成されている。風防ガラス１０６０からの入射光は、風防ガラス１０６０と文字盤１０９０との間に配置された導光用プリズム１１００によって、光発電素子１０２１に導かれる。このようにすることによって、導光用プリズム１１００がない図１３の光発電時計よりも、光発電素子１０２１により多くの光を照射させることができる。
【０００８】
さらには、風防ガラス上に光発電素子を人の目では知覚し得ないほどの細さで細幅線状で形成させる方法も考えられている。図１４は光発電素子を風防ガラス上に細幅線状で形成させた光発電時計の構成を示した図である。モジュール１０５０と時針１０４０との間に文字盤１０９０が構成され、これらの上部に風防ガラス１０６０が配置される。風防ガラス１０６０には通常人の目では知覚できない程度の細さで光発電素子１０２２が形成されている。この場合も光発電素子１０２２は認識できないので、装飾性に優れた光発電時計を達成可能である。
【０００９】
【発明が解決しようとする課題】
従来の光発電時計では、光発電素子の上面に半透明性の文字盤を配置し、光発電素子を認識しづらくする方法、文字盤の最外周部に直立して形成された壁面に光発電素子を配置する方法、風防ガラス上に光発電素子を人の目では知覚し得ないほどの細さで細幅線状形状で形成させる方法等によって、光発電素子を外部から認識できないようにさせていた。
【００１０】
しかしながら、半透明性の文字盤を光発電素子上に配置する方法の場合、光発電素子に届く光量が少なくなるため、発電量が少なくなってしまい、その結果、時計の駆動時間が短くなってしまうという欠点を有していた。
【００１１】
また、文字盤の最外周部に直立して形成された壁面に光発電素子を配置する方法、風防ガラス上に光発電素子を人の目では知覚し得ないほどの細さで細幅線状形状で形成させる方法の場合においても、光発電素子に光が照射される面積が狭まるため、発電量が少なくなってしまい、上記方法と同様に、時計の駆動時間が短くなってしまうという欠点を有していた。
【００１２】
また、導光プリズムを利用した従来の光発電時計では、光発電素子に光を導光させることを目的にしており、光を集光させて光の強度を高めるという効果は得られていなかった。よって、光発電素子が小さいと発電量が少なくなってしまい、上記同様、時計の駆動時間が短くなってしまうという欠点を有していた。
【００１３】
本発明の目的は、外観上光発電素子が見えず装飾性が高く、且つ光発電素子に多くの光を照射させることによって発電量を増加させ、長時間の駆動を可能にした光発電時計を提供することにある。
【００１４】
【課題を解決するための手段】
上記課題を解決するために、本発明の光発電時計は、光によって電気エネルギーを発生させる光発電素子を備えた光発電時計であって、反射光を一方向に集光させる機能を有する反射板を備え、かつ反射光が光発電素子に向かって集光するように反射板を配置した。
【００１５】
さらに、反射板が時計文字盤の少なくとも一部に構成されているのが望ましい。
【００１６】
または、反射板が光発電素子とモジュールとの間に構成されているのが望ましい。
【００１７】
さらに、異なった角度で刻まれた複数の溝が形成されている反射板であるのが望ましい。
【００１８】
または、曲面を有する溝が形成されている反射板であるのが望ましい。
【００１９】
さらには、プラスチック材料上に金属膜が成膜された構造の反射板であるのが望ましい。
【００２０】
さらに、光発電素子が透明性基板上に２００μｍ以下の細幅線状形状で形成されているのが望ましい。
【００２１】
また、光発電素子が時計文字盤の少なくとも一部に構成するのが望ましい。
【００２２】
または、光発電素子を風防ガラス上に構成するのが望ましい。
【００２３】
また、光発電素子を外部から認識できない位置に配置するのが望ましい。
【００２４】
（作用）
本発明の上記手段において、まず反射光を一方向に集光させる機能を有する反射板を用意する必要がある。近年、マイクロマシン関連部品の需要のため、非常に微細で高精度な加工を可能とする加工法が開発されつつある。中でも、電鋳法、放電加工法、レーザー加工法等はミクロンレベルでの加工が可能であり、非常に期待されている微細加工法である。そこで、本発明では、上記のような反射板を電鋳法、放電加工法、レーザー加工法によって、高い精度で作製した。
【００２５】
以上のような高い精度を有する加工法を用い、反射板上に角度の異なる面を形成することで、反射光を非常に狭い範囲に精度良く集光させることが可能である。例えばこれはＶ字溝が刻まれた反射板で達成できる。角度が異なるＶ字溝をいくつも形成することで、Ｖ字溝ごとに反射角度を変えられる。その反射光が集光するようにＶ字溝の角度を決めてやればよい。この反射板を用いて反射光を集光させ、その集光された部分に光発電素子を配置させれば、光発電素子の単位面積当たりに照射される光量は非常に多くなり、効率よく発電できるようになる。例えば従来の文字盤の最外周部の壁面に光発電素子を配置する場合においても、効率の良い発電が可能となる。
【００２６】
またこのような効率の良い発電は、従来と同じ電力を得るのに、従来よりも光発電素子のサイズを小さくできることを意味する。その結果、知覚し得ないほどの細さで細幅線状形状で形成した光発電素子であっても充分な量の発電が可能になった。
【００２７】
また、本発明の光発電時計では、外部から全く見えない位置に光発電素子を配置しても、反射板で光を反射させて、光発電素子に光を導かせることによって、発電することが可能である。こうすることによって、光発電素子を使用していない通常の時計と外観上全く同じデザインを達成することができ、装飾性に優れた光発電時計を達成できる。
【００２８】
以上のように、本発明の光発電時計によって、外観上の装飾性を損なうことなく、且つ光発電素子に多くの光を照射させることができるので発電量を増加させ、長時間の駆動を可能にした光発電時計を提供することができる。
【００２９】
【発明の実施の形態】
（第１の実施形態）
図１は透明性基板と光発電素子と反射板とで文字盤を構成した本発明の光発電時計の構成図である。モジュール５０は光発電素子２０で発電された電気エネルギーを蓄電しておく二次電池、正確な振動数を刻む水晶振動子、動力を伝達するための歯車等が構成されている時計の主要部品である。モジュール５０での動力は駆動軸を通して時針４０に伝達される。本実施形態における光発電時計では、透明性基板３０の一方の面上にリング形状で光発電素子２０を形成した。この光発電素子２０は２０μｍの非常に細い線幅で形成されており、人の目には認識することができない。透明性基板３０とモジュール５０との間には反射光を一方向に集光させる機能を有する反射板１０が配置されている。透明性基板３０を透過した光はこの反射板１０によって反射させられ、その反射光が光発電素子２０に集光させられる。本発明の本実施形態による光発電時計では、これら透明性基板３０、光発電素子２０、反射板１０によって文字盤１を構成している。
【００３０】
図２は透明性基板と光発電素子と反射板とで構成された文字盤を示した図である。以下図２を用いて、反射板１０での反射光の状態を詳しく説明する。透明性基板３０を透過した光は反射板１０によって反射させられる。反射板１０は微細なＶ字溝形状が加工された基台１１０とそのＶ字溝が刻まれた表面に成膜された金属膜１２０とで構成されている。また、金属膜１２０の表面は鏡面状態で仕上げられている。そのため、Ｖ字溝で反射した光は、Ｖ字溝の角度に従って、入射してきた方向とは別の方向に反射させられる。本実施形態では図２に示すように複数のＶ字溝が反射板１０に刻まれており、各Ｖ字溝の角度をそれぞれ異なった角度で形成している。これらＶ字溝の角度をそれぞれ光発電素子２０に向かって傾かせることで、反射光を光発電素子２０に集光させることができた。
【００３１】
本発明では、透明性基板３０を透過した光を反射板１０によって光発電素子２０に集光させることで、光発電素子２０に照射される光量を増加させ、その結果光発電素子２０での発電効率を従来より向上させた点が大きな特徴である。
【００３２】
また図２に示す本実施形態の文字盤によれば、光発電素子２０は非常に細い幅（２０μｍ幅）で形成されているので人には認識できない。なお一般に人に知覚し得ない程度の線幅とは２００μｍ以下と言われており、本実施形態において光発電素子２０の線幅が２００μｍ以下であれば本発明の効果を充分に発揮することができる。
【００３３】
さらに、金属膜１２０に使用される材料は特に限定されるものではなく、例えば、金、白金等の貴金属から、チタン、アルミニウムなど一般に時計に使われている金属材料まで幅広い選択が可能である。本実施形態では金を金属膜１２０の材料として使用したため、非常に装飾性に優れた光発電時計を達成することができた。このように光発電素子２０を認識させずに装飾性に優れた光発電時計が達成できる点も本発明の特徴の一つである。
【００３４】
図１１は本発明の光発電時計に用いられる反射板の製造方法を示した図である。まずステンレス鋼からなる部材を放電加工法によって加工し、図１１（ａ）に示すような成形型５００を作製した。放電加工法は微小領域で発生する放電エネルギーによって部材を加工する加工法であり、非常に微小な形状を高精度で加工することができるのが特徴である。またこの加工法は加工面の面荒れが少ないのも特徴であり、この放電加工法を用いれば鏡面状態で加工される。図１１（ａ）に示す成形型５００では、所定の設計寸法に従って、数ミクロンレベルの高い寸法精度で、Ｖ溝を加工することができた。なお、成形型５００は上記放電加工法以外にレーザー加工法、Ｘ線加工法等、近年研究されている微細加工法を利用して加工して、同様の形状が達成できる。
【００３５】
次に、成形型５００を金型とした射出成形法によってプラスチック材料からなる基台１１０を成形し（図１１（ｂ））、その後、成形型５００から剥離することによって基台１１０を作製した（図１１（ｃ））。このように射出成型法を使うことによって、大量に同じ形状の基台１１０を作製することが可能となるため、生産性が非常に良好であった。
【００３６】
その後、図１１（ｄ）に示すように、基台１１０のＶ溝が刻まれている面（図において下面）に金（Ａｕ）をスパッタリング法によって０．２μｍの厚みで成膜し、Ａｕからなる金属膜１２０を形成し、本実施形態におけるＶ字溝を備えた反射板１０を完成させた。
【００３７】
（第２の実施形態）
図３は透明性基板と光発電素子と反射板とで文字盤を構成した本発明の別の実施形態を示す光発電時計の構成図である。本実施形態ではモジュール５０と時針４０との間に透明性基板３０、光発電素子２１、反射板１１が構成されている。本実施形態における光発電時計では、透明性基板３０の一方の面上に細幅線状の光発電素子２１が並行に並んでいる。この光発電素子２１は２０μｍの非常に細い幅で形成されており、人の目には認識することができない。透明性基板３０とモジュール５０との間に配置された反射板１１は反射光を一方向に集光させる機能を有しており、透明性基板３０を透過した光はこの反射板１１によって反射させられ、その反射光が光発電素子２１に集光される仕組みになっている。本発明の本実施形態による光発電時計では、これら透明性基板３０、光発電素子２１、反射板１１によって文字盤２を構成している。
【００３８】
図４は透明性基板と光発電素子と反射板とで構成された別の文字盤を示した図である。以下図４を用いて、反射板１１での反射光の状態を詳しく説明する。透明性基板３０を透過した光は反射板１１によって反射させられる。反射板１１は微細なＵ字溝形状が加工された基台１１１とそのＵ字溝が刻まれた表面に成膜された金属膜１２１とで構成されている。また、金属膜１２１の表面は鏡面状態で仕上げられている。そのため、Ｕ字溝で反射した光は、Ｕ字溝の溝壁面の角度に従って、入射してきた方向とは別の方向に反射させられる。本実施形態では図４に示すように一本のＵ字溝に対して一本の光発電素子２１が対応しており、Ｕ字溝での反射光を光発電素子２１に集光させることができ、その結果光発電素子２１の発電効率を向上させることができた。このような構造の文字盤を用いることによって、本実施形態においても光発電素子２１を認識させずに装飾性に優れた光発電時計が達成できた。
【００３９】
図１０は本発明の光発電時計に用いられる別の反射板の製造方法を示した図である。以下に本実施形態における反射板１１の製造方法を説明する。まず始めに、ガラス板の表面に金（Ａｕ）膜が０．２μｍの厚みで成膜されている導電性基板２００を用意し、その上にアルミナ（Ａｌ2Ｏ3）からなる非導電性膜３００を０．２μｍの厚さで所望の形状にパターニングして形成した（図１０（ａ））。本実施形態における非導電性膜３００では２０μｍの幅の細幅線状で導電性基板２００が露出するパターンを成している。
【００４０】
次に、導電性基板２００に電流を流しながらニッケル（Ｎｉ）電鋳を行い、図１０（ｂ）に示すような、Ｎｉからなる電鋳部材４００を形成した。Ｎｉ電鋳とは、Ｎｉメッキ法の一種であり、Ｎｉメッキ法によって構造物を形成する加工法である。本実施形態では、このＮｉ電鋳によって、電鋳部材４００を非導電性膜３００の表面から８０μｍの高さまでメッキ成長させた。その結果、半径８０μｍの曲率からなる曲面と２０μｍ幅の平坦面とからなる蒲鉾形状の電鋳部材４００を形成することができた。なお本実施形態では、５０℃のスルファミン酸ニッケルメッキ液中で、１．３Ａ／ｄｍ2の電流密度で、６時間電鋳処理することによって、電鋳部材４００を形成した。
【００４１】
その後、図１０（ｃ）に示すように、電鋳部材４００上にプラスチック材料からなる基台１１１を転写成形した。
【００４２】
さらに基台１１１を電鋳部材４００、非導電性膜３００、導電性基板２００から剥離することによって、電鋳部材４００の形状を正確に転写した形状の基台１１１が作製できた（図１０（ｄ））。基台１１１が剥離された電鋳部材４００、非導電性膜３００、導電性基板２００からなる一体品（図１０（ｂ）の状態）は繰り返し基台１１１を成型するのに利用可能である。
【００４３】
最後に、基台１１１の曲面が形成された側に金（Ａｕ）をスパッタリング法によって０．２μｍの厚みで成膜し、Ａｕからなる金属膜１２１を形成し、本実施形態におけるＵ字溝を備えた反射板１１を完成させた（図１０（ｅ））。
【００４４】
本実施形態では分子レベルで均一に部材を成長させることが可能な電鋳法を利用することによって、電鋳部材４００をミクロンレベルの精度で且つ鏡面状態で形成することができ、その結果転写されたＵ字溝も鏡面で精度の高いものにすることができた。
【００４５】
（第３の実施形態）
図５はリング状の光発電素子を用いた本発明の光発電時計の構成図である。本実施形態ではモジュール５０と時針４０との間に反射板１２を構成するとともに、反射板１２の最外周部に直立して形成されたリング状の光発電素子２２が構成されている。本実施形態では反射板１２が文字盤となる。なお、図５では文字は描かれていないが、実際には反射板１２の表面に文字が描かれる。その場合、文字の面積分だけ反射量が少なくなる。この文字盤を兼ねた反射板１２は反射光を一方向に集光させる機能を有しており、外部からの光はこの反射板１２によって反射させられ、その反射光がリング状の光発電素子２２に集光される仕組みになっている。
【００４６】
図６はリング状の光発電素子への反射板からの反射光を示した図である。以下図６を用いて、反射板１２での反射光の状態を詳しく説明する。反射板１２には所定の角度で正確にＶ字溝が加工されている。反射板１２はプラスチック材料からなる基台１１２とその表面に成膜された金属膜１２２とで構成されており、図１１で示した方法と同様に作製した。反射板１２で反射した光はリング状の光発電素子２２に導かれるようにＶ字溝の角度が設計されている。その結果Ｖ字溝での反射光を光発電素子２２に集光させることができ、光発電素子２２の発電効率を向上させることができた。本実施形態の構造においても光発電素子２２を認識させずに装飾性に優れた光発電時計が達成できた。
【００４７】
（第４の実施形態）
図７は非透明性基板と光発電素子と反射板とで文字盤を構成した本発明の光発電時計の構成図である。本実施形態ではモジュール５０と時針４０との間に反射板１３を構成するとともに、反射板１３の外周部上方にリング状の非透明性基板３５が構成されている。またその非透明性基板３５の反射板１３と対面する面上には光発電素子２３が形成されている。本実施形態では反射板１３が文字盤となる。この文字盤を兼ねた反射板１３は反射光を一方向に集光させる機能を有しており、外部からの光はこの反射板１３によって反射させられ、その反射光が光発電素子２３に集光される仕組みになっている。この構造において時計を組み立てた場合、非透明性基板３５によって目隠しされるため、外から光発電素子２３を全く見えなくすることができた。
【００４８】
図８は非透明性基板裏面に形成された光発電素子への反射板からの反射光を示した図である。以下図８を用いて、反射板１３での反射光の状態を詳しく説明する。反射板１３には所定の角度で正確にＶ字溝が加工されている。反射板１３はプラスチック材料からなる基台１１３とその表面に成膜された金属膜１２３とで構成されており、図１１で示した方法で作製した。反射板１３で反射した光は非透明性基板３５の裏面に形成された光発電素子２３に導かれるようにＶ字溝の角度が設計されている。その結果Ｖ字溝での反射光を光発電素子２３に集光させることができ、光発電素子２３の発電効率を向上させることができた。本実施形態の構造においても光発電素子２３を認識させずに装飾性に優れた光発電時計が達成できた。
【００４９】
（第５の実施形態）
図９は風防ガラスに光発電素子を形成した本発明の光発電時計の構成図である。モジュール５０と時針４０との間に文字盤を兼ねた反射板１４が配置されている。本実施形態では時針４０を保護するための風防ガラス６０の裏面側（時計の内部側）に、２０μｍ幅でリング状に光発電素子２４を形成した。本実施形態においても、光発電素子２４は非常に細く形成されているので、通常、人の目には認識できない。文字盤を兼ねた反射板１４には所定の角度でＶ字溝が刻まれており、風防ガラス６０を通して入射してきた光は、このＶ字溝によって光発電素子２４に集光されるようになっている。その結果、光発電素子２４の発電効率を向上させることができた。本実施形態の構造においても光発電素子２４を認識させずに装飾性に優れた光発電時計が達成できた。
【００５０】
【発明の効果】
本発明の光発電時計によれば、光発電素子に多くの光を照射し多くの発電を行うことができる。その結果、従来よりも長時間駆動可能な光発電時計を達成することができた。
【００５１】
また効率の良い発電が可能となった事で、従来と同じ電力を得るのに、従来よりも光発電素子のサイズを小さくできることができた。その結果、知覚し得ないほどの大きさで形成した光発電素子であっても充分な量の発電が可能になった。
【００５２】
また、本発明の光発電時計では、光発電素子を外部から見えない位置に配置し、反射板を用いて光を導光させることが可能になった。
【００５３】
以上のように、光発電素子を認識させることのない光発電時計を達成できたことにより、光発電素子に関わらないデザイン設計が可能となり、光発電時計の装飾性が向上した。
【図面の簡単な説明】
【図１】本発明の光発電時計の構成図であり、透明性基板と光発電素子と反射板とで文字盤を構成したものである。
【図２】透明性基板と光発電素子と反射板とで構成された文字盤を示した図である。
【図３】本発明の別の実施形態を示す光発電時計の構成図であり、透明性基板と光発電素子と反射板とで文字盤を構成したものである。
【図４】透明性基板と光発電素子と反射板とで構成された本発明の別の実施形態を示す文字盤を示した図である。
【図５】リング状の光発電素子を用いた本発明の光発電時計の構成図である。
【図６】リング状の光発電素子への反射板からの反射光を示した図である。
【図７】非透明性基板と光発電素子と反射板とで文字盤を構成した本発明の光発電時計の構成図である。
【図８】非透明性基板裏面に形成された光発電素子への反射板からの反射光を示した図である。
【図９】風防ガラスに光発電素子を形成した本発明の光発電時計の構成図である。
【図１０】本発明の光発電時計に用いられる反射板の製造方法を示した図である。
【図１１】本発明の光発電時計に用いられる別の反射板の製造方法を示した図である。
【図１２】光発電素子上に半透明性文字盤を配置した従来の光発電時計の断面図である。
【図１３】光発電素子を文字盤の最外周部に配置した従来の光発電時計の断面図である。
【図１４】光発電素子を風防ガラス上に細幅線状で形成させた従来の光発電時計の構成を示した図である。
【図１５】導光用プリズムを用いた従来の光発電時計の断面図である。
【符号の説明】
１０、１１、１２、１３、１４  反射板
２０、２１、２２、２３、２４  光発電素子
３０  透明性基板
３５  非透明性基板
４０  時針
５０  モジュール
６０  風防ガラス
１１０、１１１、１１２、１１３  基台
１２０、１２１、１２２、１２３  金属膜
２００  導電性基板
３００  非導電性膜
４００  電鋳部材
５００  成形型
１０２０、１０２１、１０２２  光発電素子
１０４０  時針
１０５０  モジュール
１０６０  風防ガラス
１０７０  時計ケース
１０８０  半透明性文字盤
１０９０  文字盤
１１００  導光用プリズム
【図１】
2005300160.tif 000003
【図２】
2005300160.tif 000004
【図３】
2005300160.tif 000005
【図４】
2005300160.tif 000006
【図５】
2005300160.tif 000007
【図６】
2005300160.tif 000008
【図７】
2005300160.tif 000009
【図８】
2005300160.tif 000010
【図９】
2005300160.tif 000011
【図１０】
2005300160.tif 000012
【図１１】
2005300160.tif 000013
【図１２】
2005300160.tif 000014
【図１３】
2005300160.tif 000015
【図１４】
2005300160.tif 000016
【図１５】
2005300160.tif 000017